(57)【特許請求の範囲】
【請求項１】
所定の長さを有し、上面に忍返部と、下面に平らな取付面を有する忍返ユニットを形成し、該忍返ユニットはデザインコンセプトを共通とし、中央部が高く形成された略山形形状と、高さの変化が殆ど無い形状の少なくとも二種類を用意し、高さの変化が殆ど無い忍返ユニットは切断可能な長さ調整用とし、複数種類の忍返ユニットを任意に組み合わせて門扉・フェンス・塀等の上端に固着したことを特徴とする忍返の形成方法。
【発明の詳細な説明】
【０００１】
【発明の属する技術分野】
この発明は、既設の門扉・フェンス・塀等の上端に簡単に設けることができる防犯に適した忍返の形成方法に関するものである。
【０００２】
【従来の技術】
従来、防犯上の目的から門扉・フェンス・塀等の上端に先細り状の剣先等を備えた忍返（しのびがえし）を設けたものがあるが、大体の場合、門扉・フェンス・塀等と一体的に忍返が形成されているか、あるいは門扉・フェンス・塀等を施工する際に一体的構造として忍返を設けたものである。
【０００３】
実開平６−４３１７０号公報には、ブロック埋め込み用の脚部と忍返を設けた塀用笠木が開示されているが、この笠木をブロック塀等の上端に固定するには、脚部をモルタルに埋設して固定しなければならないため、ブロック塀の施工時でなければこの塀用笠木を取付けることのできないものであった。
【０００４】
従って、忍返が設けられていない既設の門扉・フェンス・塀等においては、現存している門扉・フェンス・塀等を除去した後に、新規に忍返を有する門扉・フェンス・塀等を施工しなければならないものであり、甚だ不経済なものであった。
さらに、近時の安全対策の高まりにより、外部からの侵入を阻止する忍返が注目されており、既設の門扉・フェンス・塀等に簡単に忍返機能を付与することが望まれている。
【０００５】
【発明が解決しようとする課題】
この発明の目的は、既設の門扉・フェンス・塀等に簡単に取付けることができ、防犯機能を付与することのできる装飾性に富んだ忍返の形成方法を提供することにある。
【０００６】
【課題を解決するための手段】
本発明者は、このような事情に鑑み鋭意検討を重ねた結果、所定の長さを有し、上面に忍返部と、下面に平らな取付面を有する忍返ユニットを形成し、該忍返ユニットはデザインコンセプトを共通とし、中央部が高く形成された略山形形状と、高さの変化が殆ど無い形状の少なくとも二種類を用意し、高さの変化が殆ど無い忍返ユニットは切断可能な長さ調整用とし、複数種類の忍返ユニットを任意に組み合わせて門扉・フェンス・塀等の上端に固着したことによって、所期の目的を達成したものである。
【０００７】
【作用】
この発明によれば、デザインコンセプトを共通とし、中央部が高く形成された略山形形状と、高さの変化が殆ど無い形状の少なくとも二種類を用意し、複数種類の忍返ユニットを任意に組み合わせて門扉・フェンス・塀等の上端に固着したので、後付けしたにも関わらず、装飾性に富んだ忍返を形成することができる。
また、一種類の忍返ユニットは高さの変化が殆ど無い形状としたので、この忍返ユニットを切断して長さ調整を容易に行なうことができる。
【０００８】
【発明の実施の形態】
以下、本発明の実施の形態として実施例を図面に基づいて説明する。
図１ないし５は本発明忍返の形成方法の実施例であり、図中１は忍返ユニットを表わし、忍返ユニット１はアルミニウム製鋳物により形成されている。忍返ユニット１は図１、２に示したとおり、デザインコンセプトを共通とし、高さを変えた２種類の形態１Ａ、１Ｂが用意され、共通する箇所については同一符号を用いて説明する。図１、２に示したとおり、忍返ユニット１Ａは中央部が高く形成された略山形形状を呈し、忍返ユニット１Ｂは高さの変化が殆ど無い形状を呈している。
【０００９】
忍返ユニット１の上面１１には忍返部２が形成されており、忍返部２は略等間隔に配置され、上方に向けて先細り状となった複数の剣先部２１により構成されている。忍返ユニット１の下面１２には平らな取付面３が形成されており、該取付面３にはビス・ボルト・釘等が挿通される段付貫通孔３１が適数箇所形成されている。
【００１０】
忍返ユニット１Ａ、１Ｂの左右長さは何れも同じであり、コンクリートブロック約２個分の長さに相当している。従って、ブロック塀の上端に忍返ユニット１を固着する際には、ブロック２個に対して忍返ユニット１を１つの割合で用意すれば良い。
忍返ユニット１Ａは両端部下面１２に取付面３が形成され、夫々２つの段付貫通孔３１が形成されている。忍返ユニット１Ｂは、下面１２に３つの取付面３が形成され、各取付面３には上側に形成されている剣先部２１を挟むように段付貫通孔３１が形成されており、施工場所の寸法に合わせて忍返ユニット１Ｂの連結部１３を切断しても、忍返ユニット１Ｂの固着を可能とし、忍返ユニット１Ｂの長さ調整を容易にしている。
【００１１】
図４、図５は忍返ユニット１をフェンスＦ、ブロック塀Ｂの上端に固着した状態を表わしたものであり、忍返ユニット１を既設の門扉・フェンス・塀等に固着するに当たっては、忍返ユニット１を取付対象となる門扉・フェンス・塀等の上端に載置し、取付対象の材質に応じて段付貫通孔３１を挿通するビス・ボルト・釘等を適宜選択して忍返ユニット１を固着する。挿通されたビス・ボルト・釘等の頭部は、段付貫通孔３１の段部と係合して抜け止めされる。
図４、図５に示したとおり、忍返ユニット１Ａ、１Ｂを交互に組み合わせて配置することによって、忍返の装飾性を高めることができる。門扉・フェンス・塀等の端部において、施工できる長さが忍返ユニット１の所定長の整数倍に満たないときは、忍返ユニット１Ｂを適宜の長さに切断して、長さ調整した忍返ユニット１Ｂを端部に固着すれば良い。
【００１２】
忍返ユニット１Ｂは、図２に示したとおり、その下面１２には間隔をおいて３つの取付面１３が形成されている。そして、隣接する取付面１３の間に位置する下面１２は取付面１３の位置よりも若干高位置となっており、取付面１３の間には高さ位置の差の分だけ空間部が生じている。忍返ユニット１Ｂをフェンスの上端に固着する際、取付面１３の間に形成された空間部にフェンスパネルの支柱固定用ブラケットによる段差部分を位置させることにより、段差による影響を与えずに忍返ユニット１Ｂを水平に固着することができる。
【００１３】
上記実施例において、忍返ユニット１は高さを変えた１Ａと１Ｂの二種類を用意したが、三種類以上としても構わない。また、忍返２の形態も剣先形状のものを用いたが、忍返としての防犯機能を発揮できる形態であれば、種々の形態のものを利用することができる。忍返ユニット１の長さはブロック約２個分としたが、ブロック約１個分としても構わないし、メーターモジュールとしても構わない。
【００１４】
【発明の効果】
本発明忍返の形成方法によれば、デザインコンセプトを共通とし、中央部が高く形成された略山形形状と、高さの変化が殆ど無い形状の少なくとも二種類を用意し、複数種類の忍返ユニットを任意に組み合わせて門扉・フェンス・塀等の上端に固着したので、後付けしたにも関わらず、装飾性に富んだ忍返を形成することができる。
また、一種類の忍返ユニットは高さの変化が殆ど無い形状としたので、この忍返ユニットを切断して長さ調整を容易に行なうことができる。
【図面の簡単な説明】
【図１】  忍返ユニット（１Ａ）の正面図
【図２】  忍返ユニット（１Ｂ）の正面図
【図３】  忍返ユニット（１Ａ）の要部を表わす平面図
【図４】  忍返ユニットをフェンスの上端に固着した状態を表わす正面図
【図５】  忍返ユニットをブロック塀の上端に固着した状態を表わす正面図
【符号の説明】
１，１Ａ，１Ｂ      忍返ユニット
２      忍返部
３      取付面
【図１】
0003781411.tif 000002
【図２】
0003781411.tif 000003
【図３】
0003781411.tif 000004
【図４】
0003781411.tif 000005
【図５】
0003781411.tif 000006